(57)【要約】  【課題】  カラオケ装置との通信速度を向上することができるペアリング方法等を提供する。  【解決手段】赤外線受信機能およびネットワーク通信機能とを備えた親機７と、赤外線通信機能およびネットワーク通信機能を備え、ＩＤで識別される子機１０とを有するシステム１００のペアリング方法であって、子機１０が特定の親機７に対して自己のＩＤを赤外線信号として送信する手順、親機７が子機１０のＩＤを含む赤外線信号を受信する手順、親機７が受信した子機１０のＩＤを含む確認メッセージをネットワーク４，８，９上にブロードキャストする手順、子機１０が自己のＩＤを含む確認メッセージを親機７から受信したとき、その親機７を通信相手の親機７として登録し、この親機７を宛先とする確認メッセージを送信する手順、親機７が自己を宛先とする確認メッセージを子機１０から受信したとき、この子機１０を通信相手の子機１０として登録する手順を含むもの。【選択図】  図１
2006261807.tif 000002
【特許請求の範囲】
【請求項１】
赤外線受信機能およびネットワーク通信機能とを備えた親機と、
赤外線通信機能およびネットワーク通信機能を備え、ＩＤで識別される子機と、
を有するシステムのペアリング方法であって、
子機が、特定の親機に対して自己のＩＤを赤外線信号として送信する手順、
親機が、子機のＩＤを含む赤外線信号を受信する手順、
親機が、前記受信した子機のＩＤを含む確認メッセージを前記ネットワーク上にブロードキャストする手順、
子機が、自己のＩＤを含む前記確認メッセージを親機から受信したとき、その親機を通信相手の親機として登録し、この親機を宛先とする確認メッセージを送信する手順、
親機が、自己を宛先とする確認メッセージを子機から受信したとき、この子機を通信相手の子機として登録する手順、
を含むネットワーク機器のペアリング方法。
【請求項２】
赤外線信号を送信する赤外線信号送信部と、
ネットワークを介して通信を行うネットワーク通信部と、
自己のＩＤを記憶したＩＤ記憶部と、
通信相手とすべき親機に対して自己のＩＤを前記赤外線信号送信部から赤外線信号として送信し、その後、前記自己のＩＤを含む確認メッセージを前記親機から受信したとき、その確認メッセージの送信元の親機を通信相手として登録し、登録後この親機と前記ネットワークを介して通信する通信制御部と、
を備えたネットワーク機器。
【請求項３】
赤外線信号を受信する赤外線信号受信部と、
ネットワークを介して通信を行うネットワーク通信部と、
子機のＩＤを含む赤外線信号を前記赤外線信号受信部で受信したとき、この子機のＩＤを含む確認メッセージを前記ネットワーク上にブロードキャストで送信し、その後、自己を宛先とする確認メッセージを子機から受信したとき、この子機を通信相手の子機として登録し、登録後この子機とネットワークを介して通信する通信制御部と、
を備えたネットワーク機器。
【請求項４】
請求項２のネットワーク機器である子機と、請求項３のネットワーク機器である親機とを含むネットワーク通信システム。
【請求項５】
前記子機は無線端末であり、前記親機はカラオケ装置であることを特徴とする請求項４に記載のネットワーク通信システム。
【発明の詳細な説明】
【技術分野】
【０００１】
この発明は、親機と子機を含む複数のネットワーク機器を含むシステムにおける親機と子機とのペアリング方法、及びこれを用いたネットワーク機器及びネットワーク通信システムに関する。
【背景技術】
【０００２】
従来から、カラオケ装置（親機）と、所望のカラオケ曲の演奏をリクエストする等のカラオケ装置に対する操作をユーザから受け付けるリモートコントローラ（子機）とで構成されたシステムはカラオケ店舗において広く利用されている。このシステムでは、このカラオケ装置とリモートコントローラとは赤外線通信によって通信を行う。すなわち、リモートコントローラはユーザの操作に応じた赤外線信号をカラオケ装置に送信し、この赤外線信号をカラオケ装置は受信する（例えば、特許文献１を参照）。このカラオケ装置は、例えば、ユーザ所望のカラオケ曲の演奏予約を行う等、受信した赤外線信号に応じた動作を実行する。
【特許文献１】特開２０００−２９３１８３号公報
【発明の開示】
【発明が解決しようとする課題】
【０００３】
しかしながら、近年、リモートコントローラは多機能化しており、演奏予約曲の選択等の所謂リモートコントローラとしての機能以外にも様々な機能を有しており、カラオケ装置に対して機能に対応した多様な信号を送信するようになっている。このため、カラオケ装置に対する通信データ量が多くなる傾向にあり、赤外線通信によってカラオケ装置と通信を行う方法では、通信速度に不足が生じる場合があった。
【０００４】
最近では、インターネット等の広域ネットワークに接続されたＬＡＮがカラオケ店舗内に敷設され、このＬＡＮに各室内のカラオケ装置を接続することで、インターネット等を通じて外部サーバ（センター）からカラオケ楽曲データをダウンロードできる構成が利用されている。上記問題を解決するためにこのＬＡＮにリモートコントローラを接続することが考えられるが、単にＬＡＮに接続するだけでは、ＬＡＮに接続された複数のネットワーク機器のいずれが通信対象機器であるかを特定することができない。すなわち、リモートコントローラは複数のカラオケ装置のうちいずれかのカラオケ装置を通信対象とすべきである処、通信対象とすべきカラオケ装置を特定することができない。また、複数のリモートコントローラがＬＡＮに接続される場合には、カラオケ装置でも通信対象となるリモートコントローラが特定できない。
【０００５】
そこで、本発明は、上記課題を解決するために、カラオケ装置（親機）とリモートコントローラ（子機）との間の通信速度を向上させることのできるペアリング方法、ネットワーク機器及びネットワーク通信システムを提供することを目的としている。
【課題を解決するための手段】
【０００６】
上記課題を解決するために本発明では以下の手段を採用している。
（１）   
【０００７】
（２） 本発明は、赤外線受信機能およびネットワーク通信機能とを備えた
親機と、赤外線通信機能およびネットワーク通信機能を備え、ＩＤで識別される子機と、を有するシステムのペアリング方法であって、子機が、特定の親機に対して自己のＩＤを赤外線信号として送信する手順、親機が、子機のＩＤを含む赤外線信号を受信する手順、親機が、前記受信した子機のＩＤを含む確認メッセージを前記ネットワーク上にブロードキャストする手順、子機が、自己のＩＤを含む前記確認メッセージを親機から受信したとき、その親機を通信相手の親機として登録し、この親機をあて先とする確認メッセージを送信する手順、親機が、自己を宛先とする確認メッセージを子機から受信したとき、この子機を通信相手の子機として登録する手順、を含むネットワーク機器のペアリング方法である。
【０００８】
本発明の上記構成によれば、子機によって、特定の親機に対して自己のＩＤが赤外線信号として送信されることで、自己のＩＤを通信相手とすべき特定の親機に対して通知することが可能となる。そして、親機によって、子機のＩＤを含む赤外線信号が受信され、この受信した子機のＩＤを含む確認メッセージがネットワーク上にブロードキャストされる。ここで、子機によって、自己のＩＤを含む確認メッセージが受信される。この確認メッセージの送信元のアドレス情報（例えば、ＩＰアドレス等）によって、通信相手とすべき親機のネットワーク上のアドレスが子機に通知され、これによって子機から親機に対するネットワークを介した通信を行うことが可能になる。このため、子機によって親機（確認メッセージを送信した親機）が通信相手として登録される。
【０００９】
そして、この親機をあて先とする確認メッセージが子機によって送信され、親機によって、自己を宛先とする確認メッセージが受信される。この確認メッセージの送信元のアドレスによって、親機に対して子機のネットワーク上のアドレスが通知され、これによって親機から子機に対するネットワークを介した通信を行うことが可能になる。このため、確認メッセージを送信した子機が通信相手の子機として登録される。これによって、親機と子機とは互いのネットワーク上のアドレスを取得することができ、双方が互いをネットワーク上の通信相手として特定する（ペアリングする）ことになり、親機や子機がネットワーク上に複数接続される構成であっても、両機器間で好適に通信を行うことが可能になる。
【００１０】
（２）本発明は、赤外線信号を送信する赤外線信号送信部と、ネットワークを介して通信を行うネットワーク通信部と、自己のＩＤを記憶したＩＤ記憶部と、通信相手とすべき親機に対して自己のＩＤを前記赤外線信号送信部から赤外線信号として送信し、その後、前記自己のＩＤを含むメッセージを前記親機から受信したとき、そのメッセージの送信元の親機を通信相手として登録し、登録後この親機と前記ネットワークを介して通信する通信制御部と、を備えたネットワーク機器である。
【００１１】
上記本発明の構成によれば、通信相手とすべき親機に対して自己のＩＤが赤外線信号送信部によって赤外線信号として送信される。通信相手とすべき親機によって、赤外線信号が受信されると、この親機に自己のＩＤを通知することが可能になる。これよって、親機は通知されたＩＤを含む確認メッセージを送信することが可能になり、この確認メッセージが例えばブロードキャストでネットワークを介して送信される。
【００１２】
そして、本ネットワーク機器では、自己のＩＤを含む確認メッセージがネットワーク通信部によって受信される。ここで、確認メッセージの送信元のアドレスによって、親機のネットワーク上のアドレスが通知されることになり、親機に対して通信可能になる。このため、通信制御部によって、このメッセージに含まれる親機が通信相手として登録され、登録後この親機とネットワークを介して前記ネットワーク通信部を用いて通信がなされる。これによって、ネットワーク機器は親機を通信相手として特定することが可能となり、複数の親機がネットワーク上に接続される構成であっても親機との間でネットワークを介して好適に通信を行うことが可能となる。
【００１３】
（３）本発明は、赤外線信号を受信する赤外線信号受信部と、ネットワークを介して通信を行うネットワーク通信部と、子機のＩＤを含む赤外線信号を前記赤外線信号受信部で受信したとき、この子機のＩＤを含む確認メッセージを前記ネットワーク上にブロードキャストで送信し、その後、自己を宛先とする確認メッセージを子機から受信したとき、この子機を通信相手の子機として登録し、登録後この子機とネットワークを介して通信する通信制御部と、を備えたネットワーク機器である。
【００１４】
上記本発明の構成によれば、本ネットワーク機器を通信相手とすべき子機がこの子機のＩＤを含む赤外線信号を送信すると、この子機のＩＤを含む赤外線信号が赤外線信号受信部によって受信される。これによって、子機のＩＤが通知される。このため、通信制御部によって、受信した子機のＩＤを含む確認メッセージがネットワーク上をブロードキャストで送信される。この確認メッセージには送信元のアドレスが付加されるものであるため、赤外線信号を送信した子機に対して自機のネットワーク上のアドレスを通知することが可能となる。ここで、子機は自己のＩＤを含む確認メッセージを受信すると、本ネットワーク機器に対して確認メッセージを送信する。
【００１５】
ネットワーク機器では、自己を宛先とする確認メッセージが子機からネットワーク通信部で受信されると、確認メッセージに付加されている送信元のアドレスによって子機のネットワーク上のＩＤが通知される。このため、本ネットワーク機器は子機と通信を行うことが可能になり、通信制御部によって、この子機が通信相手の子機として登録され、登録後この子機とネットワークを介して通信が行われる。これによって、ネットワーク機器は子機を通信相手として特定することが可能となり、複数の子機がネットワーク上に接続される構成であっても特定の子機との間でネットワークを介して好適に通信を行うことが可能となる。
【００１６】
（４）本発明は、上記（２）のネットワーク機器である子機と、上記（３）のネットワーク機器である親機とを含むネットワーク通信システムである。この構成によれば、親機と子機との間でペアリングを行うことで、これらの機器の間で好適に通信を行うことが可能になる。
【００１７】
（５）本発明は、上記ネットワーク通信システムにおいて、前記子機は無線端末であり、前記親機はカラオケ装置であることを特徴とする。カラオケ装置と無線端末とはカラオケ店舗においてＬＡＮ（Local Area Network）等の通信網に接続されているとともに、カラオケ装置と無線端末とが赤外線通信を行うことができるように構成されていることが多く、既存の通信環境を用いてカラオケ装置と無線端末との間の通信速度の向上を図ることが可能となる。
【発明の効果】
【００１８】
本発明によれば、親機と子機との双方が互いをネットワーク上の通信相手として特定する（ペアリングする）ことになり、親機や子機がネットワーク上に複数接続される構成であっても、両機器間で好適に通信を行うことが可能になる。この様にネットワークを介して通信を子機と親機との間で通信を行うことができるため、赤外線通信のみによって子機と親機との通信を行っていた従来技術に比較して、通信速度が速くなる。
【００１９】
また、本発明をカラオケシステムに適用すると、既存のネットワーク環境を用いて通信速度を速めることができる。すなわち、カラオケ店舗のカラオケシステム等として、カラオケ店舗内の各室内にカラオケ装置（親機）と無線端末（子機）とが配置され、この複数のカラオケ装置と複数の無線端末とのそれぞれの間を有線ＬＡＮや無線ＬＡＮ等のネットワークで通信可能に接続されているシステムが広く利用されている。このようなシステムでは、これらのカラオケ装置や無線端末と、カラオケ店舗の係員が操作する管理装置とで通信を行うために各機器がネットワークに接続されている。本発明によれば、ネットワーク上の複数のカラオケ装置及び複数の無線端末との間でペアリングを行うことができるため、このカラオケシステムのネットワーク環境を用いて特定の親機と子機との間でネットワークを通じた通信を行うことができる。これによって、既存のネットワーク環境を用いてこれらのネットワーク機器間の通信速度を向上させることができる。
【発明を実施するための最良の形態】
【００２０】
以下に図１〜図４を用いて本発明の一実施形態にかかるカラオケシステム１００を説明する。
【００２１】
図１はカラオケ店舗の機器配置を説明する図である。このカラオケ店舗には、店舗内の（有線）ＬＡＮ４を介してルータ５、管理装置６、複数台のカラオケ装置（親機）７、複数台の無線アクセスポイント８が接続されており、無線アクセスポイント８を介した無線通信網９によって無線端末装置（子機）１０がＬＡＮ４に通信可能に接続されている。
【００２２】
ルータ５および管理装置６は、カラオケ店舗の管理室内に設置される。複数台のカラオケ装置７は、それぞれ個室（カラオケボックス）に１台ずつ設置される。また、無線端末装置１０は、各個室に１台又は複数台が設置される。
【００２３】
無線端末装置１０は、ユーザがカラオケ曲をリクエストするためのリクエスト機能、ユーザのＩＤカードを読み取ってそのユーザをサーバにログインさせるログイン機能等の機能を有している。
【００２４】
各個室に設置された無線端末装置１０は、後述するペアリング操作により、その個室に設置されているカラオケ装置７と対応づけられる。ペアリングとは、ＬＡＮ４に接続される複数台のカラオケ装置７と複数台の無線端末装置１０とが、通信相手のアドレスを互いに通信相手として登録しあっている状態である。無線端末装置１０とカラオケ装置７とが対応づけられると、ユーザがその無線端末装置１０を操作して行ったリクエストは、ＬＡＮ４及び無線通信網９経由で対応づけられたカラオケ装置７に送信される。対応づけられたカラオケ装置は、受信したリクエストのカラオケ曲を演奏する。このＬＡＮ４及び無線通信網９を用いた通信は、例えばＩＥＥＥ８０２．３、ＩＥＥＥ８０２．１１やＴＣＰ／ＩＰ(Transmission Control Protocol/Internet Protocol)等の通信プロトコルを用いて行われる。
【００２５】
一方、ルータ５は、インターネット２を介してセンタ１と接続されており、センタ１と各カラオケ装置７との間の通信を中継する。センタ１は、楽曲データや顧客データ等を蓄積記憶している。各カラオケ装置７および無線端末装置１０は、ＬＡＮ４，ルータ５およびインターネット２を介してセンタ１にアクセスし、楽曲データのダウンロード等の通信を行う。
【００２６】
管理装置６は、このカラオケ店舗３の係員が操作する端末装置であり、各カラオケ装置７（個室）の利用時間の管理や、無線端末装置１０等を利用した飲食物やチケット等の注文を受け付ける。
【００２７】
図２は図１に示すカラオケ装置７のブロック図である。カラオケ装置７は、装置全体の動作を制御するＣＰＵ（Central Processing Unit）３０と、図略のバスやコネクタを介してこれに接続された各種機器で構成されている。また、カラオケ装置７は、マイクロフォン１５、スピーカ１８及びモニタ２３が接続可能に構成されている。
【００２８】
ＣＰＵ３０には、ハードディスク（以下、「ＨＤＤ」と記載する）１１、ＲＡＭ（Random Access Memory）１２が接続されるとともに、音源１３、Ａ／Ｄコンバータ１４、ミキサ１６及びサウンドシステム（以下、「ＳＳ」と記載する）１７が接続されており、これらの機器によってカラオケ曲の演奏が行われる。
【００２９】
ＨＤＤ１１は、カラオケ曲の演奏を行うための演奏プログラムや、カラオケ側ペアリングプログラム等のプログラムを記憶するとともに、画像データや音声データを記憶するためのものである。カラオケ側ペアリングプログラムとは、本カラオケ装置７が特定のリモコン１０との間でペアリングを行うための処理（カラオケ側ペアリング処理）を実行するためのプログラムである。ＨＤＤ１１は、曲データ記憶部１１ａ及び映像データ記憶部１１ｂを機能的に備えるものである。曲データ記憶部１１ａは、カラオケ曲を演奏するための曲データを記憶する領域である。映像データ記憶部１１ｂは、モニタ２３に表示するための背景画像の映像データ（背景画像データ）などを記憶する領域である。
【００３０】
ＲＡＭ１２は、ＣＰＵ３０の作業領域であり、ＨＤＤ１１からプログラムや曲データ及び背景画像データを読み出すエリアが設定されている。また、ＲＡＭ１２は、ペアリング機器記憶部１２ａを有し、このペアリング機器記憶部１２ａは本カラオケ装置７がペアリングした無線端末装置１０のＩＰ(Internet Protocol)アドレスを記憶する。
【００３１】
音源１３は、ＣＰＵ３０（後述する曲シーケンサ３２１）から入力された曲データ（ノートイベントデータ等）に応じて楽音信号を形成し、ミキサ１６に出力する。Ａ／Ｄコンバータ１４は、マイクロフォン１５によって入力された、歌唱者の歌唱音声信号をデジタル信号に変換しミキサ１６に出力する。
【００３２】
ミキサ１６は、音源１３が発生した複数の楽音信号、および、マイクロフォン１５−Ａ／Ｄコンバータ１４を介して入力された歌唱者の歌唱音声信号に対してエコーなどの効果を付与するとともに、これらの信号を適当なバランスでミキシングする。ミキサ１６は、ミキシングしたデジタルの音声信号をＳＳ１７に出力する。ミキサ１６が各音声信号に付与する効果およびミキシングのバランスはＣＰＵ３０によって制御される。ＳＳ１７は、Ｄ／Ａコンバータおよびパワーアンプを備えており、入力されたデジタル信号をアナログ信号に変換して増幅し、スピーカ１８から放音する。
【００３３】
また、ＣＰＵ３０には、ＭＰＥＧ（MovingPicture Experts Group） デコーダ２１、合成回路２２が接続されており、これらの機器によってモニタ２３に歌詞テロップが合成された背景画像が表示される。
【００３４】
ＭＰＥＧデコーダ２１は、入力されたＭＰＥＧデータをＮＴＳＣ（National Television System Committee）の映像信号に変換して合成回路２２に入力するものである。例えば、ＭＰＥＧデコーダ２１は、背景映像再生部３３から出力される、ＭＰＥＧ２形式にエンコードされた背景映像データの信号変換を行い、合成回路２２に出力する。
【００３５】
合成回路２２は、ＭＰＥＧデコーダ２１から出力された背景映像の映像信号に歌詞テロップなどのＯＳＤ（On Screen Display）を合成する回路である。モニタ２３は、例えば、ＣＲＴ（Cathode Ray Tube）ディスプレイや、ＬＣＤ（LiquidCrystal Display）等であり、合成回路２２から出力された画像を表示する。
【００３６】
ＣＰＵ３０には、更に操作部２４、ＬＡＮインタフェース（ＬＡＮＩ／Ｆ）２５及び赤外線通信部２６が接続されている。操作部２４は、例えば、パネルスイッチインタフェース等からなり、ユーザからの操作を受け付けて操作内容を示す操作信号をＣＰＵ３０（後述の操作入力処理部３１）に入力するものである。
【００３７】
ＬＡＮＩ／Ｆ２５は、本発明のネットワーク通信部に対応し、ＬＡＮ４を介した通信を制御するためのインタフェース回路である。カラオケ装置７はＬＡＮ４及び無線通信網９を介してセンター１、管理装置６及び無線端末装置１０と通信を行う。赤外線通信部２６は、本発明の赤外線信号受信部に対応し、後述するカラオケ側ペアリング処理において無線端末装置１０から赤外線信号を受信する回路である。
【００３８】
ＣＰＵ３０は、操作入力処理部３１と、シーケンサ３２と、背景映像再生部３３と、通信制御部３４とをプログラムの実行によって含むものである。操作入力処理部３１は、操作部２４から入力された操作信号に従った処理を実行する。シーケンサ３２は、カラオケ曲の演奏に必要な処理を実行するものであり、曲シーケンサ３２１及び歌詞シーケンサ３２２を含む。
【００３９】
曲シーケンサ３２１は、上述の演奏処理プログラムを実行することでカラオケ曲を演奏するための処理（カラオケ曲演奏処理）を行うものである。このカラオケ曲演奏処理では、曲シーケンサ３２１は、ユーザが演奏予約曲として選択したカラオケ曲の曲データを、曲データ記憶部１１ａから読み出してＲＡＭ１２に記憶させる。具体的には、ユーザの演奏予約曲の選択は無線端末装置１０や操作部２４によって受け付けられる。無線端末装置１０が受け付けた場合には、この演奏予約曲を識別する曲番号が無線端末装置１０からＬＡＮ４を介してＬＡＮＩ／Ｆ２５に入力される。ＬＡＮＩ／Ｆ２５に入力された曲番号は曲シーケンサ３２１に入力され、曲シーケンサ３２１はこの曲番号の示す演奏予約曲のデータを読み出す。
【００４０】
そして、曲シーケンサ３２１は、ＲＡＭ１２から順次曲データを読み出し、該読み出した曲データに含まれるデータ（例えば、演奏データトラック、ガイドメロディトラックなどのトラックのデータ等）を用いて、音源１３の発音処理を制御することで、カラオケ曲の演奏音を発生させる。
【００４１】
歌詞シーケンサ３２２は、曲シーケンサ３２１で処理されるカラオケ曲の位置に対応した歌詞トラックを、曲シーケンサ３２１に読み出されたカラオケ曲から読み出し、該歌詞トラックのデータに基づいて画像パターンを作成して合成回路２２に出力する。背景映像再生部３３は、例えば、シーケンサ３２からの指示に応じて、選択されたカラオケ曲に対応した背景画像データを順次読み出して、合成回路２２に出力する。
【００４２】
通信制御部３４は、ＬＡＮＩ／Ｆ２５及び赤外線通信部２６を用いてカラオケ側ペアリング処理を実行する。例えば、赤外線通信部２６で無線端末装置１０の端末ＩＤ(識別情報)を含むメッセージ信号を無線端末装置１０から受信すると、通信制御部３４がメッセージ信号の送信元の無線端末装置１０に対してこのカラオケ側ペアリング処理を実行する。この端末ＩＤは無線端末装置１０の固有の情報であり、例えば製造番号や、オペレータによって付与された識別符号等である。このメッセージ信号の端末ＩＤによって、通信制御部３４はメッセージ信号の送信元の無線端末装置１０を識別することが可能になる。
【００４３】
このメッセージ信号は、本カラオケ装置７が無線端末装置１０からの赤外線信号の届く範囲内に位置する場合に受信される。すなわち、本カラオケ装置７は無線端末装置１０とカラオケ店舗内の同室に位置する場合にはメッセージ信号を受信することになり、通信制御部３４は同室に在る無線端末装置１０を通信相手としてカラオケ側ペアリング処理を実行することになる。一方、本カラオケ装置７は無線端末装置１０と別室に在る場合にはメッセージ信号を受信せず、通信制御部３４はこの無線端末装置１０を通信相手としたカラオケ側ペアリング処理を実行しない。カラオケ側ペアリング処理については、図４を用いて後述する。
【００４４】
このカラオケ側ペアリング処理によって、メッセージ信号を送信した無線端末装置１０にＩＰアドレスを通知することができるとともに、無線端末装置１０のＩＰアドレスを取得することができると、カラオケ装置７と無線端末装置１０とが個別に通信を行うことが可能となり、これによって無線端末装置１０とペアリングが成立する。
【００４５】
通信制御部３４は、通知されたＩＰアドレスをペアリング機器記憶部１２ａに記憶させる。通信制御部３４は、ペアリング機器記憶部１２ａにＩＰアドレスが記憶されている無線端末装置１０とＬＡＮＩ／Ｆ２５を用いて通信を行う。これによって、複数のカラオケ装置７や複数の無線端末装置１０がＬＡＮ４に接続されている本カラオケシステム１００のネットワーク環境においても、このうち特定の無線端末装置１０を通信相手としてペアリングすることによりＬＡＮ４を介して個別に通信を行うことが可能となる。
【００４６】
図３は、図１で示す無線端末装置１０のブロック図である。無線端末装置１０は、カラオケ曲の予約やカラオケ曲のテンポ・キーをコントロールする機能を備えた所謂リモートコントローラとして機能するほか、カラオケ曲の視聴機能、顧客のログイン機能、カメラによる撮影機能等の種々の機能を備えた多機能なものである。無線端末装置１０を制御するＣＰＵ１０１には、内部バスを介してＲＯＭ１０２，ＲＡＭ１０３，音源１０４，アンプ１０５，非接触カードインタフェース１０６，無線ＬＡＮインタフェース１０７，周辺機器コントローラ１０８が接続されている。
【００４７】
ＲＯＭ１０２には、端末側ペアリング処理プログラム等のこの無線端末装置１０の動作を制御する各種プログラムが記憶されている。端末側ペアリング処理プログラムは、無線端末装置１０に特定の（通信相手とすべき）カラオケ装置７とペアリングを行うための処理（端末側ペアリング処理）を実行させるプログラムである。ＲＯＭ１０２は、例えばフラッシュメモリ等の書き換え可能なメモリで構成されており、ＵＳＢインタフェースを介して接続される外部装置によってプログラムの書き換えが行われる。また、ＲＯＭ１０２は本発明のＩＤ記憶部として機能し、自機の端末ＩＤを記憶している。
【００４８】
ＲＡＭ１０３は、ＣＰＵ１０１の作業領域として用いられ、ＲＯＭ１０２からＣＰＵ１０１によって順次読み出されたプログラムが一時的に記憶される。また、ＲＡＭ１０３は、通信相手としてペアリングされたカラオケ装置７のＩＰアドレスを記憶する領域であるペアリング機器記憶部１０３１を有している。
【００４９】
音源１０４は、カラオケ装置７に内蔵されているものよりは簡略なものであるが、カラオケ曲の楽曲データ（楽音トラック，ガイドメロディトラック）に基づいて楽音を発生させることができるものである。アンプ１０５は音源１０４で発生された楽音を増幅してステレオスピーカ２００に出力する。
【００５０】
非接触カードインタフェース１０６は、カードリーダ（図略）にセットされた非接触媒体であるＩＤカードと通信するためのインタフェースである。この非接触カードインタフェース１０６は、電磁波で非接触カードに電源を供給する機能および無線でＩＤカードと通信する機能を備えている。無線ＬＡＮインタフェース（無線ＬＡＮＩ／Ｆ）１０７は、アンテナ１０７ａを用いて、無線アクセスポイント８を介してこの無線端末装置１０をＬＡＮ４に接続するためのインタフェースである。
【００５１】
周辺機器コントローラ１０８には、ＬＣＤディスプレイ１０９、タッチパネル１１０、カメラ１１１、ストロボフラッシュ１１２のほか、赤外線リモコン信号をカラオケ装置７に対して送信する赤外線リモコン送信部１１３、他の装置と赤外線通信をするためのＩｒＤＡ（Infrared Data Association）通信部１１４、ＵＳＢ(Universal Serial Bus)インタフェース(ＵＳＢＩ／Ｆ)１１５等が接続されている。
【００５２】
赤外線リモコン送信部１１３は、赤外線信号を発生して装置外部に送信するものである。ＵＳＢＩ／Ｆ１１５は、この装置にパーソナルコンピュータ等のメンテナンス装置を接続してＲＯＭ（フラッシュメモリ）１０２に記憶されているプログラム（ファームウェア）を書き換えるときに使用される。
【００５３】
ＣＰＵ１０１は、ＲＯＭ１０２に記憶されているプログラムを実行することによって、カラオケ曲予約部１０１１、カラオケ曲調整部１０１２、カラオケ曲試聴処理部１０１３、顧客ログイン機能部１０１４、撮影機能部１０１５及び通信制御部１０１６として機能する。
【００５４】
カラオケ曲予約部１０１１は、ユーザがタッチパネル１１０等を用いて演奏予約を希望するカラオケ演奏曲を選択する操作を行った場合に、選択されたカラオケ曲をペアリングされているカラオケ装置７に無線ＬＡＮＩ／Ｆ１０７を用いて通知する。カラオケ曲調整部１０１２は、ユーザがタッチパネル１１０を用いてカラオケ演奏曲のテンポ・キーをコントロールする操作を行った場合に、このテンポ・キーのコントロール内容をペアリングされているカラオケ装置７に無線ＬＡＮＩ／Ｆ１０７を用いて通知する。
【００５５】
カラオケ曲試聴処理部１０１３は、ユーザがタッチパネル１１０を用いて選択したカラオケ曲のデータの一部を視聴用データとしてペアリングされているカラオケ装置７から無線ＬＡＮＩ／Ｆ１０７を用いてダウンロードする。カラオケ曲試聴処理部１０１３はダウロードされた視聴用データを音源１０４に再生させることで、ユーザにカラオケ曲を試聴させる。
【００５６】
顧客ログイン機能部１０１４は、非接触カードインタフェース１０６を用いてＩＤカードと通信することで、ＩＤカードに登録されている顧客ＩＤを読み込んでＲＡＭ１０３に記憶させる。顧客ログイン機能部１０１４は読み込んだ顧客ＩＤをペアリングされているカラオケ装置７に無線ＬＡＮＩ／Ｆ１０７を用いて送信する。カラオケ装置７では、顧客ＩＤを受信すると、該顧客ＩＤがルータ５−インターネット２を介してセンタ１に送信される。センタ１では、受信した顧客ＩＤによって当該顧客の利用履歴等が管理される。
【００５７】
撮影機能部１０１５は、カメラ１１１及びストロボフラッシュ１１２の動作を制御するものであり、ユーザがカメラ１１１を用いて撮影した撮影画像が入力されると、この撮影画像をＲＡＭ１０３に記憶させる。撮影機能部１０１５は、この撮影画像をＲＡＭ１０３から読み出してペアリングされているカラオケ装置７に無線ＬＡＮＩ／Ｆ１０７を用いて送信する。カラオケ装置７では、撮影画像を受信するとモニタ２３に撮影画像が表示される。
【００５８】
通信制御部１０１６は、無線ＬＡＮＩ／Ｆ１０７及び赤外線リモコン送信部１１３の通信を制御する。通信制御部１０１６は、端末側ペアリング処理プログラムを実行することで、通信相手とすべきカラオケ装置７とのペアリングを行う処理（端末側ペアリング処理）を行う。この端末側ペアリング処理では、まず、通信制御部１０１６はＲＯＭ１０２に記憶されている端末ＩＤを含んだメッセージ信号を作成し赤外線リモコン送信部１１３を用いて装置外部に送信する。このメッセージ信号を受信するカラオケ装置７が通信相手となり、上述したように本実施形態では通信相手とすべきカラオケ装置７とは、本無線端末装置１０とカラオケ店舗内の同室に在るカラオケ装置７である。端末側ペアリング処理については詳しくは図４を用いて後述する。
【００５９】
端末側ペアリング処理によって、自機のＩＰアドレスを通信相手とすべきカラオケ装置７に通知することができるとともに、このカラオケ装置７のＩＰアドレスを通知すると、通信相手とすべきカラオケ装置７と自機との間で双方向通信を行うことが可能となり、ペアリングが成立する。
【００６０】
通信制御部１０１６は、通知されたカラオケ装置７のＩＰアドレスをペアリング機器記憶部１０３１に記憶（登録）させる。これによって、通信制御部１０１６は、記憶されたカラオケ装置７のＩＰアドレスを用いてＬＡＮ４及び無線通信網９を介した通信を行うことができる。このため、複数のカラオケ装置７や複数の無線端末装置１０がＬＡＮ４に接続される本カラオケシステム１００のネットワーク環境においても、無線端末装置１０は特定のカラオケ装置７を通信相手としてペアリングを行うことによって通信相手を特定できる。これによって、ＬＡＮ４及び無線通信網９を介して好適に通信を行うことが可能となる。
【００６１】
図４は、図２で示すカラオケ装置７及び図３で示す無線端末装置１０の実行するペアリング処理を示すフローチャートである。本処理において、カラオケ装置７側で実行されるペアリング処理がカラオケ側ペアリング処理であり、無線端末装置１０側で実行されるペアリング処理が端末側ペアリング処理である。本処理では、複数台のうちメッセージ信号を受信する１台のカラオケ装置７のカラオケ側ペアリング処理と、複数台のうちメッセージ信号を送信する１台の無線端末装置１０の端末側ペアリング処理とを説明する。
【００６２】
まず、ユーザからの指示を受けて、通信制御部１０１６は自機の端末ＩＤを含む赤外線信号を装置外部に送信する（Ｓ１）。具体的には、この赤外線信号送信の指示は、例えばカラオケ店舗の係員が無線端末装置１０をカラオケ装置７の配置された個室に持ち込んで、タッチパネル１１０上のキーを押下することによって受け付けられる。この指示は通信制御部１０１６に入力され、通信制御部１０１６はこの指示が入力されたとき、自機の端末ＩＤをＲＯＭ１０２から読み出してこの端末ＩＤを含めた赤外線信号をメッセージ信号として送信する。
【００６３】
この赤外線信号は無線端末装置１０と同室に配置されるカラオケ装置７には届くが別室に配置されるカラオケ装置７には届かない。このため、無線端末装置１０と同室に配置されているカラオケ装置７が赤外線通信部２６でメッセージ信号を受信する（Ｓ２）。これによって、無線端末装置１０と同室に配置されているカラオケ装置７に対して、ペアリングすべき通信相手としてメッセージ信号を送信することが可能となる。カラオケ店舗では、同室に配置されている無線端末装置１０を用いてカラオケ装置７の動作を遠隔操作することが通常であるため、無線端末装置１０はステップＳ１及びステップＳ２によってペアリングすべきカラオケ装置７に対してメッセージ信号を送信することが可能となる。
【００６４】
通信制御部３４は赤外線通信部２６でメッセージ信号を受信すると、メッセージ信号に含まれる端末ＩＤを含んだ確認メッセージを作成する（Ｓ３）。具体的には、通信制御部３４は自機の端末ＩＤをＨＤＤ１１から読み出して、この読み出した端末ＩＤとメッセージ信号に含まれる端末ＩＤを含んだ確認メッセージを作成する。通信制御部３４は確認メッセージにＩＰヘッダ等のヘッダを付加して、ＬＡＮＩ／Ｆ２５を用いて確認メッセージをブロードキャストで送信する（Ｓ４）。
【００６５】
無線端末装置１０では、ＬＡＮＩ／Ｆ２５が確認メッセージを受信し（Ｓ５）、通信制御部１０１６が受信した確認メッセージが自機宛のものであるかを判断する（Ｓ６）。具体的には、通信制御部１０１６は確認メッセージに自機の端末ＩＤが含まれるかどうかを判断し、含まれる場合には自機宛の確認メッセージであると判断する。確認メッセージが自機宛であると判断しなかった場合には（Ｓ６でＮＯ）、通信制御部３４は確認メッセージを破棄し（Ｓ７）、この後に本処理をステップＳ６に戻す。
【００６６】
一方、確認メッセージを自機宛であると判断した場合には（Ｓ６でＹＥＳ）、通信制御部１０１６は確認メッセージのＩＰヘッダに含まれる送信元のＩＰアドレスを取得し、取得したＩＰアドレスをペアリング機器記憶部１０３１に記憶させる（Ｓ８）。これによって、無線端末装置１０側からのカラオケ装置７に対するペアリングは成立し、通信制御部３４はこの登録されたカラオケ装置７とＬＡＮ４及び無線通信網９を介して通信を行うことになる。
【００６７】
この後、通信制御部１０１６は確認メッセージを作成して（Ｓ９）、ＩＰヘッダ等のヘッダを付加して、無線通信網９及びＬＡＮ４を介して送信する（Ｓ１０）。このＩＰヘッダには、宛先ＩＰアドレスとしてペアリング機器記憶部１０３１に記憶されているＩＰアドレスが含まれているとともに、送信元のＩＰアドレスが含まれている。
【００６８】
カラオケ装置７では、ＬＡＮＩ／Ｆ２５が確認メッセージを無線端末装置１０から受信し（Ｓ１１）、通信制御部３４が受信した確認メッセージに付加されたＩＰヘッダを参照し、このＩＰヘッダに含まれる送信元ＩＰアドレスを取得する。通信制御部３４は取得した送信元ＩＰアドレスをペアリング機器記憶部１０２１に記憶（登録）させ（Ｓ１２）、これによって、ステップＳ１でメッセージ信号を送信した無線端末装置１０との間のペアリングが成立する。この後、通信制御部３４は本処理を終了させる。
【００６９】
なお、１台のカラオケ装置７について複数台の無線端末装置１０がペアリングされる場合には、図４に示すようなペアリング処理が１台のカラオケ装置７について複数回実行されることになる。
【００７０】
上記構成によって、複数台のカラオケ装置７と複数台の無線端末装置１０との間で、個別にペアリングを行うことができる。このため、ペアリングされたカラオケ装置７と無線端末装置１０との間でＬＡＮ４や無線通信網９を用いて個別に通信を行うことが可能となる。従って、赤外線通信のみによってカラオケ装置７と無線端末装置１０との間の通信を行うことに比較して、通信速度を向上させることができる。これによって、本実施形態のように無線端末装置１０が多機能なものであり、無線端末装置１０とカラオケ装置７との間の通信データ量が比較的大きい場合であっても、通信速度の不足なく好適に通信を行うことができる。
【００７１】
また、複数台のカラオケ装置７と無線端末装置１０とがＬＡＮ４や無線通信網９に接続されているようなネットワーク環境はカラオケ店舗において既に用いられており、既存のネットワーク環境を用いてカラオケ装置７と無線端末装置１０との間の通信を行うことができる。
【００７２】
本実施形態は、以下の変形例を採用することができる。
【００７３】
（１）実施形態では、ＬＡＮ４、複数台の無線アクセスポイント８及び
無線通信網９でネットワークが構成されているが、これに限定されず、各カラオケ装置７と各無線端末装置１０とが通信を行うことができるネットワーク環境であればよい。例えば、無線端末装置１０をＬＡＮ４に直接接続して、無線アクセスポイント８及び無線通信網９を備えない構成であってもよい。また、カラオケ装置７と無線端末装置１０との間を無線通信網９で直接接続して、ＬＡＮ４を備えない構成であってもよい。
【００７４】
（２）また、本実施形態では、端末ＩＤは製造番号等のＩＰアドレスとは別の個別の識別番号であるが、ＩＰアドレスを端末ＩＤとして用いてもよい。この場合には、無線端末装置１０からカラオケ装置７への確認メッセージの送信は省略されてもよい。
【００７５】
（３）なお、本実施形態では、ペアリング機器記憶部１０２１及びペアリング機器記憶部１０３１がそれぞれＲＡＭ１２及び１０３に設けられているが、この構成に限定されず、ＨＤＤ１１や例えばフラッシュメモリ等の書き換え可能なＲＯＭ１０２にペアリング機器記憶部が設けられてもよい。本実施形態では、カラオケ装置７や無線端末装置１０の主電源がオフされると記憶されているＩＰアドレスが消去され、ペアリングが解除される構成であるが、変形例の場合には、主電源がオフされてもペアリングが解除されない。変形例では、ペアリングを解除する操作をユーザが行うことや、所定時間間隔の経過とともにペアリングが解除される構成としてもよい。
【００７６】
（４）本実施形態では、本発明がカラオケシステム１００に適用されているが、これに限定されず、ネットワークに子機と親機とが３台以上ネットワークに接続されているシステムに適用されればよい。
【図面の簡単な説明】
【００７７】
【図１】カラオケ店舗の機器配置を説明する図である。
【図２】図１に示すカラオケ装置７のブロック図である。
【図３】図１で示す無線端末装置１０のブロック図である。
【図４】図２で示すカラオケ装置７及び図３で示す無線端末装置１０の実行するペアリング処理の一例を示すフローチャートである。
【符号の説明】
【００７８】
７―カラオケ装置（ネットワーク機器、親機の一例）    ８―無線アクセスポイント（ネットワークの一例）    ９―無線通信網（ネットワークの一例）
１０―無線端末装置（ネットワーク機器、子機の一例）    ２５―ＬＡＮＩ／Ｆ（ネットワーク通信部の一例）    ２６―赤外線通信部（赤外線信号受信部の一例）    ３４―通信制御部    １００―カラオケシステム（ネットワーク通信システムの一例）    １０２―ＲＯＭ（ＩＤ記憶部の一例）    １０７―無線ＬＡＮＩ／Ｆ（ネットワーク通信部の一例） １１３―赤外線リモコン送信部（赤外線信号送信部の一例）    １０１６―通信制御部
【図１】
2006261807.tif 000003
【図２】
2006261807.tif 000004
【図３】
2006261807.tif 000005
【図４】
2006261807.tif 000006